(57)【要約】【課題】外装ケースの温度上昇を抑制し、精度よくフィルターサインを報知し、精度よく異常加熱を検出し機器を停止すること。【解決手段】ファンモーター４の回転数を検知して、目標回転数となるよう制御し、目詰まりして燃焼室２の温度が上昇するとファンモーター４の回転数を連続的に増加させ、機器の外装の温度が高くなることを防止する。また、フィルターサインを報知する報知する第１検出温度で得たい回転数Ｎｆｓと初期回転数Ｎｓｔの比率Ｋに従い回転数を増加させる。また、過熱異常を検知する第３検出温度と第１検で温度の間にある第４検出温度となったら回転数の増加をやめる。【選択図】　図１
2004061048.tif 000002
【特許請求の範囲】
【請求項１】
燃料を燃焼するバーナーと、燃焼により発生した排気ガスと外部より取り込んだ空気を混合する燃焼室と、外部から取り込んだ空気をバーナーに供給するとともに温風を送出する送風ファンと、この送風ファンを駆動するファンモーターと、送風ファンの回転数を検知する回転数検知器と、空気吸入口に設けられたエアーフィルターと、前記バーナーへの燃料供給と前記ファンモーターの回転数とを制御し燃焼量を多段階且つ比例的に制御する制御装置と、エアーフィルターの目詰まりを前記燃焼室の温度で検出する温度検出器と、目詰まりが所定量の第１検出温度に達したら報知する目詰まり表示器と、燃焼量と温度検出器の検出温度に応じて、予め設定された複数の温度定数とモーターの回転数定数に基づいて演算して目標回転数の補正を行う制御手段を備え、前記制御装置は前記目標回転数となるようになるようにファンモーターを制御し、前記制御手段は所定の第２の検出温度に達すると目標回転数の補正を開始し、その補正は目詰まり報知を行う第１の検出温度で必要な回転数と補正開始前の回転数との回転数比率を基に演算することを特徴とした温風暖房機。
【請求項２】
制御手段は燃焼を停止させる第３検出温度と、目標回転数の補正を終了する第４検出温度とを予め設定しており、前期第４検出温度は第１検出温度よりも高く、第３検出温度よりも低いことを特徴とする請求項１記載の温風暖房機。
【請求項３】
制御手段は、燃焼量が小さいほど回転数比率を大きくして目標回転数を補正することを特徴とする請求項１または２記載の温風暖房機。
【請求項４】
最小燃焼量における回転数比率Ｋ（ｍｉｎ）と、最大燃焼量における回転数比率Ｋ（ｍａｘ）と、燃焼量の数ｎを用いて、（数１）で与えられることを特徴とする請求項３に記載の温風暖房機。
【数１】
2004061048.tif 000015
【請求項５】
制御手段は燃焼量が小さいほど補正を開始する第２検出温度を低くしたことを特徴とする請求項１から４のいずれか１項に記載の温風暖房機。
【請求項６】
第２検出温度は、最大燃焼量における第２検出温度Ｔｓｔ（ｍａｘ）と、最小燃焼量における回転数比率Ｔｓｔ（ｍｉｎ）と、燃焼量の数ｎを用いて、（数２）で与えられることを特徴とする請求項５に記載の温風暖房機。
【数２】
2004061048.tif 000016
【発明の詳細な説明】
【０００１】
【発明の属する技術分野】
本発明は、石油ファンヒーターやガスファンヒーターなどの室内開放型の温風暖房機に関するものである。
【０００２】
【従来の技術】
従来の温風暖房機を図８に示す。バーナー１にて供給されたガスの燃焼を行う。
【０００３】
燃焼により発生した排気ガスと空気を混合する燃焼室２がある。バーナー１の下方には温風を送出するための送風ファン３が設けられている。
【０００４】
また、送風ファン３を駆動するためのファンモーター４が送風ファン３の側面に取り付けられている。送風ファン３の前方には温風吹出し口５が取り付けられている。外装ケース６の後面には対流用空気を取り入れるための空気吸入口７が設けられ、エアーフィルター８が取り付けてある。外装ケース６の内側には室温を検出する室温検出器９が設けられている。燃焼室２の上部には温度検出器１０が設けられ、所定温度になるとそれを検出して、エアーフィルター８の掃除を促す目詰まり表示器１１がある。操作表示部１２には暖房運転を入り切りする運転スイッチ（図示せず）がある。制御装置１３は、運転スイッチ、室温検出器９、温度検出器１０の信号を読み込み、バーナー１へのガス供給量やファンモーター４の駆動量を制御し、設定の室温となるように各部品を制御している。
【０００５】
次にその動作について説明する。運転スイッチを押すと、バーナー１でガスを燃焼させ、発生する高温の排気ガスと、燃焼室２の燃焼風路内でエアーフィルター８を通過した対流用空気が混合される。混合された空気は、送風ファン４によって前面下部の温風吹き出し口５から温風になって送出され暖房を行う。室温検出器９が室温を検出して、室温が設定温度になるようにバーナー１の燃焼をコントロールする。燃焼室２の上部に設けられた温度検出器１０が、燃焼室２の温度を検出する。エアーフィルター８にほこりが付着すると、燃焼に必要な空気が減少して、燃焼室２の温度が上昇する。ある設定の温度になると、温度検出器１０がこれを検出して、制御装置１３に信号を送り、掃除をするよう目詰まり表示器１１がサインを出す。一般的にフィルターサインと言われている。
【０００６】
【発明が解決しようとする課題】
しかしながら、ほこりが付着すると燃焼に必要な対流用空気を吸い込みにくくなり、ファンモーター４の負荷が減少しファンモーター４がもっと吸い込もうと自然に回転数が上昇する。ファンモーターに直流を供給して駆動するＤＣモーターの場合は、ファンモーターの特性に任せ自然に回転数が上がるようにしているが、回転数が上がりにくいという特性がある。そして、ファンの送風量が十分でないため、微少な目詰まりであるのに機器の温度上昇が発生してしまう。
【０００７】
一方、ファン回転数が一定になるようモーターの制御電圧を例えば、供給電力を負荷電圧として制御する回転数制御方式は、機器の個体差に関係なくファン回転数を一定にするため、エアーフィルターに目詰まりして負荷が軽減してもファン回転数は一定となる。この方式では、吸入空気の減少を補うことが出来ず、風量が低下し器具の温度上昇が促進されて、フィルターサインや異常加熱時に燃焼を停止する安全装置が、わずかな目詰まりで頻繁に作動してしまうと言う課題があった。
【０００８】
本発明は、上記従来の課題を解決するもので、エアーフィルターの目詰まり状態における機器の急激な温度上昇を防ぐことができるとともに、適切な量の目詰まりで目詰まりを報知し、更に目詰まりが促進したときには燃焼を異常停止させることができ、使用者が安心して使用できる温風暖房機を提供することを目的とする。
【０００９】
【課題を解決するための手段】
前記従来の課題を解決するために、本発明の温風暖房機は、燃料を燃焼するバーナーと、燃焼により発生した排気ガスと外部より取り込んだ空気を混合する燃焼室と、外部から取り込んだ空気をバーナーに供給するとともに温風を送出する送風ファンと、この送風ファンを駆動するファンモーターと、送風ファンの回転数を検知する回転数検知器と、空気吸入口に設けられたエアーフィルターと、前記バーナーへの燃料供給と前記ファンモーターの回転数とを制御し燃焼量を多段階且つ比例的に制御する制御装置と、エアーフィルターの目詰まりを前記燃焼室の温度で検出する温度検出器と、目詰まりが所定量の第１検出温度に達したら報知する目詰まり表示器と、燃焼量と温度検出器の検出温度に応じて、予め設定された複数の温度定数とモーターの回転数定数に基づいて演算して目標回転数の補正を行う制御手段を備え、前記制御装置は前記目標回転数となるようになるようにファンモーターを制御し、前記制御手段は所定の第２の検出温度に達すると目標回転数の補正を開始し、その補正は目詰まり報知を行う第１の検出温度で必要な回転数と補正開始前の回転数との回転数比率を基に演算することを特徴とした。
【００１０】
これによって、エアーフィルターがほこりで目詰まりすると温度検出器がこれを検出して、ファンモーターの回転数が目標回転数になるように制御しながら温度検出器が検出する温度に従い目標回転数を連続的に増加するよう補正する。
【００１１】
また、目標回転数の補正は目詰まりを報知する第１検出温度において必要となる目標回転数を与えることで増加度合いを決める。
【００１２】
【発明の実施形態】
請求項１に記載の発明は、燃料を燃焼するバーナーと、燃焼により発生した排気ガスと外部より取り込んだ空気を混合する燃焼室と、外部から取り込んだ空気をバーナーに供給するとともに温風を送出する送風ファンと、この送風ファンを駆動するファンモーターと、送風ファンの回転数を検知する回転数検知器と、空気吸入口に設けられたエアーフィルターと、前記バーナーへの燃料供給と前記ファンモーターの回転数とを制御し燃焼量を多段階且つ比例的に制御する制御装置と、エアーフィルターの目詰まりを前記燃焼室の温度で検出する温度検出器と、目詰まりが所定量の第１検出温度に達したら報知する目詰まり表示器と、燃焼量と温度検出器の検出温度に応じて、予め設定された複数の温度定数とモーターの回転数定数に基づいて演算して目標回転数の補正を行う制御手段を備え、前記制御装置は前記目標回転数となるようになるようにファンモーターを制御し、前記制御手段は所定の第２の検出温度に達すると目標回転数の補正を開始し、その補正は目詰まり報知を行う第１の検出温度で必要な回転数と補正開始前の回転数との回転数比率を基に演算するものである。
【００１３】
よって、温度検出器が検出する温度に従い目標回転数を連続的に増加するよう補正し、目標回転数の補正は目詰まりを報知する第１検出温度において必要となる目標回転数を与えることで増加度合いが決める。そして、エアーフィルターにほこりが付着した場合には、送風量を増やし機器の外装の温度上昇を抑制することができ、また、目詰まりを報知すべきほこり付着量になるまで送風量と外装温度を精度良く制御することができる。
【００１４】
請求項２に記載の発明は、請求項１に記載の発明において、制御手段は燃焼を停止させる第３検出温度と、目標回転数の補正を終了する第４検出温度とを予め設定しており、前期第４検出温度は第１検出温度よりも高く、第３検出温度よりも低いことを特徴とした。
【００１５】
よって、第１検出温度となると目詰まり報知を行い、さらに目詰まりが進んで第４検出温度となると送風機の回転数増加補正をやめ、第３検出温度になると燃焼の停止を行う。そして、目詰まりを報知した後、機体の温度上昇に追随させて増加補正していた送風機の回転数の補正を第４検出温度を検出した時点で早く終了させ、機体の温度上昇を促進して目詰まり報知を行ってから短時間で機器を停止させるようにすることができる。
【００１６】
請求項３に記載の発明は、請求項１に記載の発明において、前記制御手段は燃焼量が小さいほど前記回転数比率を大きくして目標回転数を補正するものである。
【００１７】
そして、より目詰まり報知のタイミングを適切に精度良く制御することができる。
【００１８】
請求項４に記載の発明は、請求項３に記載の発明において、各燃焼量における前記回転数比率は、最小燃焼量における回転数比率Ｋ（ｍｉｎ）と、最大燃焼量における回転数比率Ｋ（ｍａｘ）と、燃焼量の数ｎを用いて、（数３）で与えられるものである。よって、より送風量を精度良く制御して目詰まり報知のタイミングを適切にすることができる。
【００１９】
【数３】
2004061048.tif 000003
【００２０】
請求項５に記載の発明は、請求項１に記載の発明において、前記制御手段は燃焼量が小さいほど補正を開始する前記第２検出温度を低くして目標回転数を補正するものである。よって、燃焼量に応じてフィルターに目詰まりしたほこり量が同程度になるように、回転数の制御を精度良く行うことができる。
【００２１】
請求項６に記載の発明は、請求項５に記載の発明において、各燃焼量における補正を開始する前記第２検出温度は、最大燃焼量における第２検出温度Ｔｓｔ（ｍａｘ）と、最小燃焼量における回転数比率Ｔｓｔ（ｍｉｎ）と、燃焼量の数ｎを用いて、（数４）で与えられるものである。よって、燃焼量に応じてきめ細かい制御が可能となる。
【００２２】
【数４】
2004061048.tif 000004
【００２３】
【実施例】
以下、本発明をガスファンヒーターに適応した実施例について図面を参照しながら説明する。
【００２４】
（実施例１）
図１は、本発明の実施例の温風暖房機の概略構成を示す構成図である。図１において、６は外装ケースであり、天板１４と底板１５とで機器の外装を構成する。
【００２５】
外装ケース６は機器の背面上部に当たる位置に空気吸入口７を、前面下部に当たる位置に温風吹出口５を有し、空気吸入口７にはエアーフィルター８が取り付けられている。エアーフィルター８は容易に取り外し、手入れできるよう外装ケース６に引っ掛けて取り付ける構造となっている。２は外装ケース６内に設けられた燃焼室、１は燃焼室２に設けられたバーナー、１７は点火装置、１６はバーナー２の炎近傍に配置された熱電対よりなる炎センサー、３は燃焼室２の下部に設けられたクロスフローファンよりなる送風ファン、４は送風ファン３を駆動するファンモーターで、このファンモーターには回転数を検出する回転数検知器２０が設けられている。１８は燃焼室２の上面及び前面を覆う覆板、１９は送風ファン３からの温風を温風吹出口に導くファンケースである。外装ケース６の背面下部にはガス接続口２１が設けられ、ガスを遮断する電磁弁２２、ガスを調整供給する比例弁２３、ガスを導くガス導管２４を介してバーナー１にガスが供給される。天板１４の前方部に操作表示部１２を設け、その直下に各種スイッチや表示器を配した制御装置の一部である操作表示回路１３ａが設けてある。１３は制御装置の中核をなす制御回路でファンモーター４を駆動する回路や目標回転数を指示する制御手段２５を有している。９は空気吸入口７の近傍に設けられたサーミスターよりなる室温検出器であり、１０はエアーフィルター８の目詰まりを燃焼室の温度で検出するサーミスターよりなる温度検出器である。操作表示部１２には温度検出器１０が目詰まりを検出したことを報知する目詰まり表示器１１が設けられ、１１は一般的にはフィルターサインと呼ばれている。また、２６は制御回路１３に電源を供給する電源コードである。
【００２６】
次に動作について説明する。暖房運転すると制御回路１３はファンモーター４を始動させ、バーナー１にガスを供給する。室内空気が送風ファン３によって空気吸入口７から外装ケース６内に吸入され、その一部は燃焼室２に入りバーナー１でガス燃料と混合され燃焼する。また、制御回路１３は、燃焼を継続させるようガス供給量とファンモーター４の回転数とを調整する。
【００２７】
バーナー１の燃焼ガスは排出された後、燃焼室２を冷却する燃焼室２と覆板１８とで形成される通路を流れる空気と合流して送風ファン３に吸入される。そして、送風ファン３から吐出された温風はファンケース１９に沿って温風吹出口５へと誘導され、室内に放出される。
【００２８】
このような暖房運転中、制御回路１３は設定温度と室温検出器９が検出する室温との差温の大きさに応じてバーナー１でのガス消費量を定める。例えば、８〜１０畳の部屋の暖房を目安としたものでは、ガス消費量は０．６４ｋＷ（最小燃焼）〜３．４９ｋＷ（最大燃焼）の範囲で多段階に且つ段数に応じて比例的に調整される。そして、このガス消費量が得られるように、制御回路１３は比例弁２３の弁開度を調節しバーナー１へのガス供給量を制御する。
【００２９】
また、併せて制御回路１３はファンモーター４の回転数制御を行い、送風ファン３によるバーナー１への空気供給量を制御する。ファンモーター４の回転数制御は回転数検知器２０からの回転数信号と目標回転数を比較しファンモーター４の回転数が目標回転数となるようファンモーター４の制御信号を調節する。送風ファン３の目標回転数は、通常燃焼時においては５００ｍｉｎ−１（最小燃焼）〜８５０ｍｉｎ−１の範囲である。
【００３０】
ここで、最小燃焼から最大燃焼までｎ段のステップを有し、最小燃焼のガス消費量をＱ（ｍｉｎ）、目標回転数をＮｓｔ（ｍｉｎ）、また最大燃焼のガス消費量をＱ（ｍａｘ）、目標回転数をＮｓｔ（ｍａｎ）とすると、燃焼ステップ（ｉ）でのガス消費量Ｑ（ｉ）、目標回転数Ｎｓｔ（ｉ）は、次に示す（数５）および（数６）で表わされる。またｉは、１〜ｎまでの整数である。
【００３１】
【数５】
2004061048.tif 000005
【００３２】
【数６】
2004061048.tif 000006
【００３３】
図２は、本発明の実施例のファンモーター制御回路のブロック図である。ファンモーター４は通電切換用の半導体素子からなる駆動回路を内蔵した直流モーターで構成しており、負荷電源（０〜２４Ｖ）と駆動回路の制御電源（５Ｖ）とが接続されている。また回転数検知器２０も駆動回路上に構成されている。制御手段２５はマイクロコンピューターにより構成しており、端子１には室温検知器９が、端子２には目詰まりを検出する温度検出器１０が接続されている。端子３ファンモーター４の制御信号をアナログ電圧（０〜５Ｖ）として出力する。
【００３４】
また端子４は一定周期（６０ｋＨｚ）の矩形波を出力し、Ｃ１とＲ１との時定数で擬似三角波を形成する。これを、制御信号のアナログ電圧とコンパレーターであるＩＣ１により比較することでＴｒ１とＴｒ２の通電時間を制御する。Ｔｒ２の通電時間に応じてＣ２に充電される電圧が変化しファンモーター４の負荷電圧をコントロールする。端子５には回転数検知器２０からが接続され、パスル信号が入力される。パルス信号を１分間当りの回転数に加工し実測回転数を求め、諸条件より決められた目標回転と比較しながら、実測回転数が目標回転数となるよう制御信号を加減する。目標回転数は設定温度と室温の差温より決まる燃焼ステップと目詰まり度合いを検出する温度検出器１０からの温度とにより決定する。
【００３５】
ところで、暖房運転をしながら機器を使用していくと、エアーフィルター８が徐々に目詰まりしていき、送風ファン３の負荷が軽減していく現象が生じる。
【００３６】
図３において、最小燃焼・最大燃焼におけるファンモーター４の回転数すなわち送風ファン３の回転数の挙動を説明する。グラフの横軸は温度検出器１０の検出温度でエアーフィルター８の目詰まり度合いを代用する特性となる。グラフの縦軸は、ファンモーター４の目標回転数である。目詰まりが進行していくと温度検出器１０の検出温度が大きくなる。エアーフィルター８が目詰まりしていない時の検出温度付近に設定された第２検出温度Ｔｓｔとなった以降、温度検出器１０の温度に応じて目標回転数を連続的に上げていく。そして温度が所定の第１検知温度に達すると目詰まり表示器１１を表示して、使用者にエアーフィルター８の掃除を促すフィルターサインを出す。また、第２検知温度Ｔｓｔに達するまでの初期目標回転数をＮｓｔ、第１検知温度Ｔｆｓにおいて得たい回転数をＮｆｓとすると、温度Ｔと目標回転数Ｎ（ｉ）の関係は、次の（数７）で表される。
【００３７】
【数７】
2004061048.tif 000007
【００３８】
（数７）中の係数Ｋは、次の（数８）で表される。
【００３９】
【数８】
2004061048.tif 000008
【００４０】
そして、ファンモーター４の回転数をエアーフィルター８の目詰まりの度合いに応じて大きくするため、目詰まりによる風量の減少を補うことができ、外装ケース６や天板１４の温度が急激に高くなることを防止できる。また、フィルターサインで報知したいほこり量は代用試験用のガーゼ１０枚程度である。そのほこり量が付着した状態においても外装温度が安全な温度となるよう第１検出温度と第１検出温度での目標回転数が決まる。これは、実験に基づき決まるものである。
【００４１】
本実施例では温度と目標回転数の関係をフィルターサイン報知する時の回転数Ｎｆｓと初期の目標回転数Ｎｓｔの比率に基づき算出するため、フィルターサイン報知のほこりの付着量や機器の温度を精度良くコントロールすることができる。
【００４２】
（実施例２）
実施例２について説明する。図４はその挙動についてのグラフである。実施例１との違いは、フィルターサイン報知後に目詰まりが進行し温度検出器１０の温度が更に高くなり、第３検出温度Ｔｈｌに達すると異常過熱状態と判断し機器の燃焼を停止することである。また、第１検出温度Ｔｆｓと第３検出温度Ｔｈｌの間にある第４検出温度Ｔｅｎに達したら、それ以上は目標回転数を増加させないことである。
【００４３】
そして、フィルターサイン報知をするほこり量より更にほこりの付着が促進すると、温度検出器１０の温度が上昇した段階で、目標回転数の増加をやめ、機器を異常停止するので、ほこりの付着量に応じて精度良くコントロールすることができる。
【００４４】
（実施例３）
実施例３について説明する。図５はその挙動についてのグラフである。実施例１との違いは、係数Ｋが最小燃焼と最大燃焼とで異なり、且つ、燃焼量が小さく初期回転数Ｎｓｔが小さいほど係数Ｋの値が大きいということである。燃焼ステップ（ｉ）における温度Ｔと目標回転数Ｎ（ｉ）の関係は、次の（数９）で表わされる。
【００４５】
【数９】
2004061048.tif 000009
【００４６】
ここで、エアーフィルター８にガーゼ１０枚程度のほこりが付着して暖房運転を行ったとき、フィルターサインを出す第１検出温度に安定するための回転数は、燃焼量が小さくファンモーター４も回転数が小さいほど初期回転数との比率が大きくなるという傾向が実験により得られている。実施例１では最大燃焼では第１検出温度での目標回転数が過分となりフィルターサインの報知が遅れぎみの傾向にあるが、燃焼量が小さいほど係数Ｋの値が大きくなるよう燃焼ステップにより変えて設定することで、燃焼ステップごとにフィルターサインを報知するほこり量を同じに合わせ込むことができ、フィルターサインの報知について更にきめ細かく精度を上げ制御することができる。
【００４７】
（実施例４）
実施例４について説明する。実施例３において、燃焼ステップ（ｉ）における係数Ｋ（ｉ）を次の（数１０）で表すものである。
【００４８】
【数１０】
2004061048.tif 000010
【００４９】
そして、各燃焼ステップの係数Ｋ（ｉ）がＫ（ｍｉｎ）とＫ（ｍａｘ）により求められ、最小燃焼での初期目標回転数Ｎｓｔ（ｍｉｎ）と第１検出温度での目標回転数Ｎｆｓ（ｍｉｎ）、最大燃焼での初期目標回転数Ｎｓｔ（ｍａｘ）と第１検出温度での目標回転数Ｎｆｓ（ｍａｘ）より、全ての燃焼ステップでの係数Ｋ（ｉ）が得られるので、必要な定数の構成が簡素になり効率的に仕様を決定することができる。
【００５０】
（実施例５）
実施例５について説明する。図６はその挙動についてのグラフである。実施例１との違いは、第２検出温度Ｔｓｔが最小燃焼と最大燃焼とで異なり、且つ、燃焼量がほど第２検出温度Ｔｓｔの値が低いということである。燃焼ステップ（ｉ）における温度Ｔと目標回転数Ｎ（ｉ）の関係は、次の（数１１）で表される。
【００５１】
【数１１】
2004061048.tif 000011
【００５２】
ここで、燃焼ステップが小さいほどガス消費量が小さく温度検出器１０の検出温度が低くなるという傾向が実験により得られている。実施例１では最大燃焼ではほこりが付着しなくても目標回転数を増加補正する可能性があり、また最小燃焼ではわずかなほこりの付着では目標回転数が増加せず補正が遅れ温度が急に上昇していく傾向にある。しかし、燃焼量が小さいほど目標回転数の補正を開始する第２検出温度Ｔｓｔが低くなるよう燃焼ステップにより変えて設定することで、燃焼ステップごとに回転数の補正を開始するほこり量を同じにすることができ、機器の温度上昇の抑制について更にきめ細かく精度を上げ制御することができる。
【００５３】
（実施例６）
実施例６について説明する。実施例５において、燃焼ステップ（ｉ）における第２検出温度Ｔｓｔ（ｉ）を次の（数１２）で表すものである。
【００５４】
【数１２】
2004061048.tif 000012
【００５５】
そして、各燃焼ステップの第２検出温度Ｔｓｔ（ｉ）がＴｓｔ（ｍｉｎ）とＴｓｔ（ｍａｘ）により得られるので、必要な定数の構成が簡素になり効率的に仕様を決定することができる。
【００５６】
（実施例７）
実施例７について説明する。図７はその挙動についてのグラフである。最小燃焼〜最大燃焼までを７段のステップに分割し暖房運転を行うものである。ファンモーター４の目標回転数は実施例１〜６を組み合わせて決定するものである。燃焼ステップ（ｉ）における温度Ｔと目標回転数Ｎ（ｉ）の関係は、次の（数１３）で表される。
【００５７】
【数１３】
2004061048.tif 000013
【００５８】
ここで、Ｎｓｔ（ｉ）は（数６）、Ｋ（ｉ）は（数１０）、Ｔｓｔ（ｉ）は（数１２）で表わされる。また、各燃焼ステップにおける諸定数を（表１）に記す。
【００５９】
【表１】
2004061048.tif 000014
【００６０】
【発明の効果】
以上のように、請求項１〜６に記載の発明によれば、燃焼室の温度により検出する目詰まり度合いに応じファンモーター回転数を増加することにより、エアーフィルターや他の部品にほこりが付着した場合でも外装ケースの温度上昇を抑制して、外装ケースに触ってもやけどがないようにできるため安全性の高い安心して使用できる温風暖房機を提供することができる。
【００６１】
また、フィルターサインが作動するときの目標回転数によりファンモーターの挙動が決まり、フィルターサイン報知のほこり量や作動温度の精度を良くすることができ、高い信頼性を確保することができる。
【図面の簡単な説明】
【図１】本発明の実施例における温風暖房機の概略構成を示す構成図
【図２】本発明の実施例における温風暖房機のファンモーター制御回路のブロック図
【図３】本発明の実施例１における温風暖房機の制御特性図
【図４】本発明の実施例２における温風暖房機の制御特性図
【図５】本発明の実施例３における温風暖房機の制御特性図
【図６】本発明の実施例５における温風暖房機の制御特性図
【図７】本発明の実施例７における温風暖房機の制御特性図
【図８】従来の温風暖房機の概略構成を示す構成図
【符号の説明】
１　バーナー
２　燃焼室
３　送風ファン
４　ファンモーター
７　空気吸入口
８　エアーフィルター
１０　温度検出器
１１　目詰まり表示器
１３　制御回路（制御装置）
１３ａ　操作表示回路（制御装置）
２０　回転数検知器
２５　制御手段
【図１】
2004061048.tif 000017
【図２】
2004061048.tif 000018
【図３】
2004061048.tif 000019
【図４】
2004061048.tif 000020
【図５】
2004061048.tif 000021
【図６】
2004061048.tif 000022
【図７】
2004061048.tif 000023
【図８】
2004061048.tif 000024